(57)【要約】【課題】過去に補正処理が行われた画像に対する利用者の過去の指示内容の傾向が反映された補正処理を、新たに選択した画像に対して行うことを目的とする。【解決手段】画像処理装置が、利用者の指示内容に応じて第１の画像に対する第１の補正処理を行う第１の補正処理手段と、前記利用者に対する識別子を取得する識別子取得手段と、前記利用者から受け付けた前記指示内容が反映された第１の補正情報を前記識別子に関連付けて蓄積する蓄積手段と、第２の画像を選択した前記利用者に対応する前記識別子に関連付けて蓄積された前記第１の補正情報に応じて、前記第２の画像に対する第２の補正処理に用いられる第２の補正情報を生成する第２の補正情報生成手段と、前記第２の補正情報に応じて前記第２の画像に前記第２の補正処理を行う第２の補正処理手段と、を有する。【選択図】図４
2014092994.tif 000002
【特許請求の範囲】
【請求項１】
利用者の指示内容に応じて第１の画像に対する第１の補正処理を行う第１の補正処理手段と、
前記利用者に対する識別子を取得する識別子取得手段と、
前記利用者から受け付けた前記指示内容が反映された第１の補正情報を前記識別子に関連付けて蓄積する蓄積手段と、
第２の画像を選択した前記利用者に対応する前記識別子に関連付けて蓄積された前記第１の補正情報に応じて、前記第２の画像に対する第２の補正処理に用いられる第２の補正情報を生成する第２の補正情報生成手段と、
前記第２の補正情報に応じて前記第２の画像に前記第２の補正処理を行う第２の補正処理手段と、
を有する画像処理装置。
【請求項２】
前記第２の補正情報に対する前記利用者による評価を取得する評価取得手段と、
前記第２の補正情報に対しての前記利用者による評価に基づいて、当該第２の補正情報を前記識別子に関連付けて前記蓄積手段に蓄積させるか否かを決定する決定手段と、
第３の画像を選択した前記利用者に対応する前記識別子に関連付けて蓄積された前記第２の補正情報に応じて、前記第３の画像に対する第３の補正処理に用いられる第３の補正情報を生成する第３の補正情報生成手段と、
前記第３の補正情報に応じて前記第３の画像に前記第３の補正処理を行う第３の補正処理手段と、
を更に有することを特徴とする請求項１に記載の画像処理装置。
【請求項３】
前記第２の補正情報に対する前記利用者による評価を取得する評価取得手段と、
前記第２の補正情報に応じて、前記利用者が選択した第３の画像に対する第３の補正処理に用いられる第３の補正情報を生成する第３の補正情報生成手段と、
前記第３の補正情報に応じて前記第３の画像に前記第３の補正処理を行う第３の補正処理手段と、
を更に有し、
前記蓄積手段が、前記第２の補正情報とともに、当該第２の補正情報に対しての前記利用者による評価を、前記識別子に関連付けて蓄積し、
前記第３の補正情報生成手段が、前記第２の画像を選択した前記利用者に対応する前記識別子に関連付けて蓄積された、前記第２の補正情報と前記評価とに応じて前記第３の補正情報を生成する、
ことを特徴とする請求項１または請求項２に記載の画像処理装置。
【請求項４】
前記第１の画像及び前記第２の画像の特徴量に関する情報を取得する特徴量情報取得手段を更に有し、
前記蓄積手段が前記第１の画像の前記特徴量に関する情報を蓄積し、
前記第２の補正情報生成手段が、前記第２の画像の前記特徴量に関する情報と、前記蓄積手段に蓄積された前記第１の画像の前記特徴量に関する情報とに応じて前記第２の補正情報を生成することを特徴とする請求項１乃至３のいずれか１項に記載の画像処理装置。
【請求項５】
前記第１の画像及び前記第２の画像の種別に関する情報を取得する種別情報取得手段を更に有し、
前記蓄積手段が前記第１の画像の前記種別に関する情報を蓄積し、
前記第２の補正情報生成手段が、前記第２の画像の前記種別に関する情報と、前記蓄積手段に蓄積された前記第１の画像の前記種別に関する情報とに応じて前記第２の補正情報を生成することを特徴とする請求項１乃至４のいずれか１項に記載の画像処理装置。
【請求項６】
利用者の指示内容に応じて第１の画像に対する第１の補正処理を行う第１の補正処理手段、
前記利用者に対する識別子を取得する識別子取得手段、
前記利用者から受け付けた前記指示内容が反映された第１の補正情報を前記識別子に関連付けて蓄積する蓄積手段の蓄積内容を取得する手段、
第２の画像を選択した前記利用者に対応する前記識別子に関連付けて蓄積された前記第１の補正情報に応じて、前記第２の画像に対する第２の補正処理に用いられる第２の補正情報を生成する第２の補正情報生成手段、
前記第２の補正情報に応じて前記第２の画像に前記第２の補正処理を行う第２の補正処理手段、
としてコンピュータを機能させるためのプログラム。
【発明の詳細な説明】
【技術分野】
【０００１】
本発明は画像処理装置及びプログラムに関する。
【背景技術】
【０００２】
写真画像や映像に用いられる画像に対し、表示領域や紙媒体などへの出力前に補正処理を行う画像処理装置が存在する。特許文献１には、画像処理装置によって補正された複数の画像に対し、利用者の指示内容に応じて追加で編集処理を行う技術が開示されている。
【先行技術文献】
【特許文献】
【０００３】
【特許文献１】特開２００２−２６２２１９号公報
【発明の概要】
【発明が解決しようとする課題】
【０００４】
本発明は、利用者が過去に行った指示内容の傾向が反映された補正処理を、新たな画像に対して行うことを目的とする。
【課題を解決するための手段】
【０００５】
請求項１に記載の画像処理装置は、利用者の指示内容に応じて第１の画像に対する第１の補正処理を行う第１の補正処理手段と、前記利用者に対する識別子を取得する識別子取得手段と、前記利用者から受け付けた前記指示内容が反映された第１の補正情報を前記識別子に関連付けて蓄積する蓄積手段と、第２の画像を選択した前記利用者に対応する前記識別子に関連付けて蓄積された前記第１の補正情報に応じて、前記第２の画像に対する第２の補正処理に用いられる第２の補正情報を生成する第２の補正情報生成手段と、前記第２の補正情報に応じて前記第２の画像に前記第２の補正処理を行う第２の補正処理手段と、を有することを特徴とする。
【０００６】
請求項２に記載の画像処理装置は、前記第２の補正情報に対する前記利用者による評価を取得する評価取得手段と、前記第２の補正情報に対しての前記利用者による評価に基づいて、当該第２の補正情報を前記識別子に関連付けて前記蓄積手段に蓄積させるか否かを決定する決定手段と、第３の画像を選択した前記利用者に対応する前記識別子に関連付けて蓄積された前記第２の補正情報に応じて、前記第３の画像に対する第３の補正処理に用いられる第３の補正情報を生成する第３の補正情報生成手段と、前記第３の補正情報に応じて前記第３の画像に前記第３の補正処理を行う第３の補正処理手段と、を更に有することを特徴とする。
【０００７】
請求項３に記載の画像処理装置は、前記第２の補正情報に対する前記利用者による評価を取得する評価取得手段と、前記第２の補正情報に応じて、前記利用者が選択した第３の画像に対する第３の補正処理に用いられる第３の補正情報を生成する第３の補正情報生成手段と、前記第３の補正情報に応じて前記第３の画像に前記第３の補正処理を行う第３の補正処理手段と、を更に有し、前記蓄積手段が、前記第２の補正情報とともに、当該第２の補正情報に対しての前記利用者による評価を、前記識別子に関連付けて蓄積し、前記第３の補正情報生成手段が、前記第２の画像を選択した前記利用者に対応する前記識別子に関連付けて蓄積された、前記第２の補正情報と前記評価とに応じて前記第３の補正情報を生成する、ことを特徴とする。
【０００８】
請求項４に記載の画像処理装置は、前記第１の画像及び前記第２の画像の特徴量に関する情報を取得する特徴量情報取得手段を更に有し、前記蓄積手段が前記第１の画像の前記特徴量に関する情報を蓄積し、前記第２の補正情報生成手段が、前記第２の画像の前記特徴量に関する情報と、前記蓄積手段に蓄積された前記第１の画像の前記特徴量に関する情報とに応じて前記第２の補正情報を生成することを特徴とする。
【０００９】
請求項５に記載の画像処理装置は、前記第１の画像及び前記第２の画像の種別に関する情報を取得する種別情報取得手段を更に有し、前記蓄積手段が前記第１の画像の前記種別に関する情報を蓄積し、前記第２の補正情報生成手段が、前記第２の画像の前記種別に関する情報と、前記蓄積手段に蓄積された前記第１の画像の前記種別に関する情報とに応じて前記第２の補正情報を生成することを特徴とする。
【００１０】
請求項６に記載のプログラムは、利用者の指示内容に応じて第１の画像に対する第１の補正処理を行う第１の補正処理手段、前記利用者に対する識別子を取得する識別子取得手段、前記利用者から受け付けた前記指示内容が反映された第１の補正情報を前記識別子に関連付けて蓄積する蓄積手段の蓄積内容を取得する手段、第２の画像を選択した前記利用者に対応する前記識別子に関連付けて蓄積された前記第１の補正情報に応じて、前記第２の画像に対する第２の補正処理に用いられる第２の補正情報を生成する第２の補正情報生成手段、前記第２の補正情報に応じて前記第２の画像に前記第２の補正処理を行う第２の補正処理手段、としてコンピュータを機能させることを特徴とする。
【発明の効果】
【００１１】
請求項１、６の発明によれば、利用者が過去に行った指示内容の傾向が反映された補正処理が、新たな画像に対して行われる。
【００１２】
請求項２の発明によれば、利用者の評価により補正情報を蓄積するか否かを決定する。
【００１３】
請求項３の発明によれば、新たに補正処理が行われる画像に対し、利用者の嗜好が反映された補正処理が行われる。
【００１４】
請求項４の発明によれば、新たに補正処理が行われる画像に対し、その特徴量に応じた補正処理が行われる。
【００１５】
請求項５の発明によれば、新たに補正処理が行われる画像に対し、その種別に応じた補正処理が行われる。
【００１６】
請求項６の発明によれば、利用者が過去に行った指示内容の傾向が反映された補正処理が、新たな画像に対して行われる。
【図面の簡単な説明】
【００１７】
【図１】本発明における画像処理装置を含む画像処理システムの一例を示す概略構成図である。
【図２】第１の実施形態における画像処理装置の機能ブロック図である。
【図３】第１の実施形態における情報蓄積部の記憶内容の一例を示す図である。
【図４】画像処理装置が実行する処理の一例を示すフロー図である。
【図５】確認画面の一例を示す図である。
【図６】利用者の傾向が反映された場合の確認画面の一例を示す図である。
【図７】第２、第４における画像処理装置の実施形態の機能ブロック図である。
【図８】第２の実施形態における、画像の印刷後に表示部に表示される評価入力画面の一例を示す図である。
【図９】第３の実施形態における情報蓄積部の記憶内容の一例を示す図である。
【図１０】第４の実施形態の確認画面を示す図である。
【図１１】第４の実施形態における情報蓄積部の記憶内容の一例を示す図である。
【発明を実施するための形態】
【００１８】
以下、本発明の第１の実施形態について、図面を参照しながら説明する。図１は、本発明における画像処理装置１を含む画像処理システムの一例を示す概略構成図である。図１に示すように、画像処理システムＳは、画像処理装置１と、画像蓄積部２と、画像形成装置３と、操作部１４と、表示部１５と、を含んで構成される。
【００１９】
画像処理装置１は、例えばパーソナルコンピュータ等であり、利用者が使用する処理装置である。図１に示すように、画像処理装置１は、制御部１１と、記憶部１２と、通信部１３と、を含んで構成される。
【００２０】
制御部１１は、ＣＰＵ等を含んで構成される。制御部１１は、記憶部１２に格納されるプログラムに従って動作する。記憶部１２は、ＲＡＭやＲＯＭ等を含んで構成される。記憶部１２は、制御部１１によって実行されるプログラムを記憶する。また、記憶部１２は、制御部１１のワークメモリとしても機能する。
【００２１】
なお、記憶部１２は、コンピュータで読み取り可能な情報記憶媒体であればよく、他にも例えば、ハードディスク等を含んで構成されるようにしてもよい。また、本実施形態では、制御部１１により実行されるプログラムが記憶部１２に記憶される場合を説明するが、当該プログラムは、例えばインターネット等の通信ネットワークを介して提供されるものであってもよいし、例えばＣＤ−ＲＯＭやＤＶＤ−ＲＯＭ等のコンピュータで読み取り可能な各種情報記憶媒体に格納されて提供されるものであってもよい。
【００２２】
通信部１３は、ネットワークカード等を含んで構成される。通信部１３は、制御部１１からの指示に従って、通信ネットワークを介して外部に各種情報を送信する。また、通信部１３は、通信ネットワークを介して画像処理装置１に到来する情報を受信し、制御部１１に出力する。画像処理装置１は、通信ネットワークを介して、画像蓄積部２及び画像形成装置３に接続される。
【００２３】
画像蓄積部２は、例えばデータベースサーバやハードディスク等である。画像蓄積部２には、画像処理装置１による補正処理の対象となる画像が蓄積されている。
【００２４】
なお、本実施形態では、補正処理の対象となる画像が、デジタルカメラにより撮影された写真である場合を説明するが、画像としては、種々の画像が適用可能である。また、ここでは、画像蓄積部２が、通信ネットワークを介して画像処理装置１に接続されている場合を例に挙げて説明するが、他にも例えば、画像蓄積部２が、コンピュータで読み取り可能な記憶媒体（例えば、フラッシュメモリ）であってもよい。この場合、当該記憶媒体に対応するインタフェースを介して、画像処理装置１は、画像の情報を取得することになる。
【００２５】
画像形成装置３は、例えば公知の印刷機である。画像形成装置３は、画像処理装置１から送信された画像形成指示に基づいて、画像を用紙上に形成する。
【００２６】
更に、図１に示すように、画像処理装置１の外部には、操作部１４と表示部１５とが接続されている。操作部１４は、例えばキーボードやマウス、操作ボタン等である。操作部１４は、利用者による操作を受け付ける。操作部１４が受け付けた操作内容は、制御部１１に出力される。操作部１４としては、他にもタッチパネル等が用いられるようにしてもよく、公知の種々の入力デバイスが適用可能である。表示部１５は、例えばディスプレイ等である。表示部１５は、制御部１１からの指示に従って、画像を表示する。
【００２７】
なお、画像処理システムＳの構成は、上記の例に限られない。例えば、画像処理装置１は、上記構成以外の構成を含んでいてもよい。また、画像処理装置１は、他にも例えばプリントサーバ、写真画質補正機能を持つＲＩＰシステム、または、写真処理ソフトウェア、プリンタコントローラ、プリンタドライバ、もしくは写真補正アプリケーションなどを有する装置であってもよい。更に、操作部１４と表示部１５は、画像処理装置１内に設けられたものであってもよい。
【００２８】
画像処理システムＳでは、利用者は、操作部１４を操作して、画像蓄積部２に蓄積された画像のうち、画像形成装置３で印刷する画像を選択する。利用者により画像が選択されると、画像形成装置３による印刷結果をシミュレートした画像が、表示部１５に表示される。当該画像には、利用者が過去に画像に対して行った補正内容が反映されている。詳しくは後述するが、利用者による過去の補正内容が記憶部１２に記憶されており、当該過去の補正内容が反映された画像が表示部１５に表示されることになる。
【００２９】
表示部１５に表示された画像に対して追加の補正処理が必要な場合、利用者は、当該画像に対する補正内容を操作部１４から入力する。利用者が操作部１４から出力指示を行うと、画像処理装置１の制御部１１から画像形成装置３に対して画像の情報が送信され、その後、画像形成装置３によって画像が印刷される。印刷処理が行われると、当該印刷処理における補正内容が記憶部１２に蓄積され、以降の補正処理において参照される。
【００３０】
このように、画像処理システムＳにおいては、利用者による過去の補正内容を学習し、以降の補正処理で活用する構成になっている。以降、当該処理を実現するための構成について詳細に説明する。
【００３１】
図２は、本発明の第１の実施形態における画像処理装置１の機能ブロック図である。図２に示すように、画像処理装置１は、識別子取得部２０と、画像取得部２１と、特徴量情報取得部２２と、指示内容取得部２３と、第１の補正情報生成部２４と、第１の補正処理部２５と、情報蓄積部２６と、第２の補正情報生成部２７と、第２の補正処理部２８と、表示制御部２９と、出力部３０と、を含んで構成されている。
【００３２】
図２に示す各機能は、記憶部１２に格納されているプログラムを制御部１１が実行することにより実現される。ここでは、図２に示す機能のうち、情報蓄積部２６は、記憶部１２を主として実現され、出力部３０は、通信部１３を主として実現される。他の各機能は、制御部１１を主として実現される。
【００３３】
識別子取得部２０は、複数の利用者のそれぞれに対する識別子を取得する。識別子は、画像処理装置１の各利用者を一意に識別するための情報であり、例えば、複数の利用者のそれぞれに付与されたＩＤ（識別子）である。例えば、記憶部１２には、各利用者の識別子と、利用者に関する各種情報（利用者の名前や所属等）と、が対応づけられて記憶されている。
【００３４】
利用者は、画像処理装置１を利用する際に、自分の識別子を操作部１４から入力する。操作部１４から入力された識別子と、記憶部１２に記憶された識別子とが比較されることによって、利用者が特定される。識別子取得部２０は、各利用者による操作部１４の操作内容、又は、記憶部１２の記憶内容に基づいて、識別子を取得する。
【００３５】
画像取得部２１は、画像蓄積部２から画像を取得する。画像取得部２１は、画像データとともに、画像に付属されている各種情報（例えば、画像の種別等）を取得するようにしてもよい。なお、画像取得部２１が取得する画像は、画像蓄積部２に蓄積されたものに限られず、記憶部１２に予め記憶されたものであってもよい。また、画像取得部２１は、画像処理装置１に接続された他の装置（携帯電話、デジタルカメラ、スキャナ等）から、画像を取得するようにしてもよい。
【００３６】
特徴量情報取得部２２は、画像（後述する第１の画像及び第２の画像）の特徴量に関する特徴量情報を取得する。特徴量は、画像の特徴を数値として表したものであり、たとえば画像に映っているものの形状や質感の度合いや、画像の色彩の特徴の度合いを示す数値であり、画像の画素値に基づいて算出される数値ともいえる。具体的には例えば、各画素の明度の平均値や彩度の平均値等が、特徴量に相当する。各画素の明度や彩度、輝度は、各画素の色成分値に基づいて、予め定められた計算式により計算される。ここでは、特徴量情報取得部２２は、画像の画像情報の解析を行うことによって、画像の特徴量に関する情報を算出する。例えば、特徴量情報取得部２２は、画像に含まれる各画素の色成分値（例えば赤、緑、青それぞれの色成分値）に基づいて、特徴量に関する情報を算出する。
【００３７】
なお、特徴量として用いられる情報は、上記の例に限られない。特徴量としては、画像に基づいて算出される数値が用いられるようにすればよく、他にも例えば、特徴量情報取得部２２は、画像において隣接する各画素間の輝度の差（エッジ量）の平均値を特徴量として算出してもよい。また、上記では、特徴量情報取得部２２が特徴量を算出する場合を説明したが、予め算出された特徴量が、画像に関連付けられて、画像蓄積部２に蓄積されるようにしてもよい。この場合、特徴量情報取得部２２は、特徴量情報を記憶する手段から特徴量情報を取得することになる。
【００３８】
指示内容取得部２３は、利用者からの指示内容に関わる情報を取得する。指示内容とは、画像に施すべき補正処理の内容であり、例えば、利用者により指示される各種補正係数（補正パラメータ）である。本実施形態では、指示内容取得部２３は、明度と彩度と輝度との少なくとも一つの補正係数を、利用者からの指示内容として取得する。
【００３９】
第１の補正情報生成部２４は、利用者の指示内容が反映された補正情報（以降、第１の補正情報とする。）を生成する。ここで、第１の補正情報とは、識別子のそれぞれに対応する補正処理のうち、最初に行われた補正処理（即ち、過去の補正処理の内容が考慮されずに実行された補正処理）において用いられた補正情報である。第１の補正情報生成部２４は、指示内容取得部２３により取得された指示内容に基づいて、第１の補正情報を生成する。第１の補正情報生成部２４により生成された第１の補正情報は、操作部１４を操作した利用者の識別子に関連付けられて、情報蓄積部２６の蓄積内容を取得する手段により情報蓄積部２６に蓄積される。
【００４０】
本実施形態においては、第１の補正情報生成部２４は、明度、彩度、及び輝度の各々の補正係数を含む第１の補正情報を生成する。ここでは、利用者により指定された各補正係数の数値が、第１の補正情報に相当する場合を説明する。
【００４１】
第１の補正処理部２５は、利用者の指示内容に応じて画像に対する補正処理を行う。第１の補正処理部２５は、第１の補正情報生成部２４が生成した第１の補正情報に基づいて、画像に対して補正処理を行う。以降、第１の補正情報に基づいて実行される補正処理を、第１の補正処理とする。また、第１の補正処理において補正対象となる画像を、第１の画像とする。
【００４２】
第１の補正処理部２５は、第１の補正情報に含まれる各補正係数に基づいて、画像に対する補正処理を行う。本実施形態では、第１の補正処理部２５は、明度、彩度、及び輝度の各数値に基づいて、画像に対する補正処理を行う。これら各数値に基づいて実行される補正処理自体は、公知の種々の手法を適用してよい。このような補正処理としては、具体的には例えば、明るさ調整、色調補正、露出補正、コントラスト調整、レベル補正、ガンマ補正およびシャープネス調整等が挙げられる。
【００４３】
情報蓄積部２６は、過去に実行された補正処理における各種情報を蓄積（記憶）する。図３は、情報蓄積部２６の記憶内容（記憶された情報）の一例を示す図である。図３に示すように、ここでは、「識別子」フィールドと、「特徴量」フィールドと、「手動補正情報」フィールドと、を含むテーブルが情報蓄積部２６に記憶される。これにより、補正処理が実行されるたびに、当該補正処理において利用者が指定した補正係数が、新たなレコードとして上記テーブルに蓄積されることになる。
【００４４】
「識別子」フィールドには、補正処理を実行させた利用者の識別子が格納される。「特徴量」フィールドには、補正対象となった画像（例えば、第１の画像）の特徴量に関する情報が格納される。「手動補正情報」フィールドには、利用者の指示内容に基づいて定まる補正情報が格納される。即ち、過去の補正処理において利用者により指定された、明度、彩度、及び輝度の補正係数が、「手動補正情報」フィールドに格納される。例えば、「手動補正情報」フィールドには、利用者の指示内容が反映された第１の補正情報が格納される。このように、本実施形態の情報蓄積部２６は、図３に示すテーブルを記憶することによって、複数の利用者のそれぞれから受け付けた指示内容が反映された複数の第１の補正情報を複数の識別子のそれぞれに関連付けて蓄積することになる。
【００４５】
第２の補正情報生成部２７は、情報蓄積部２６に蓄積された第１の補正情報に応じて、利用者が選択した画像（以降、この画像を第２の画像とする。）に対する第２の補正処理に用いられる補正情報（以降、第２の補正情報とする）を生成する。第２の補正情報生成部２７は、第１の補正情報に含まれる補正係数に基づいて、第２の補正情報を生成する。第２の補正情報は、第１の補正情報がそのまま利用されるようにしてもよいし、第１の補正情報と利用者の指示内容とに基づいて定まる補正係数に基づいて生成されるようにしてもよい。
【００４６】
本実施形態においては、第２の補正情報生成部２７は、第２の画像を選択した利用者に対応する識別子に関連付けて蓄積された第１の補正情報に応じて、第２の補正情報を生成する。第２の補正情報生成部２７は、情報蓄積部２６に蓄積された第１の補正情報のうち、第２の画像を選択した利用者に対応する識別子が関連付けられた第１の補正情報を特定する。第２の補正情報生成部２７は、当該特定された第１の補正情報に基づいて、第２の補正情報を生成する。
【００４７】
また、本実施形態においては、第２の補正情報生成部２７は、第２の画像の特徴量に関する情報と、情報蓄積部２６に蓄積された第１の画像の特徴量に関する情報とに応じて第２の補正情報を生成する。第２の補正情報生成部２７は、情報蓄積部２６に蓄積された第１の画像の特徴量と、第２の画像の特徴量と、を比較する。第２の補正情報生成部２７は、当該比較結果に基づいて、情報蓄積部２６に蓄積された第１の補正情報の何れかを特定し、当該特定された第１の補正情報に基づいて、第２の補正情報を生成する。例えば、第２の補正情報生成部２７は、第２の画像の特徴量に最も近い特徴量が関連付けられた第１の補正情報に基づいて、第２の補正情報を生成する。
【００４８】
第２の補正処理部２８は、第２の補正情報生成部２７が生成した第２の補正情報に基づいて、画像に対して補正処理を行う。以降、第２の補正情報に基づいて実行される補正処理を、第２の補正処理ともいう。補正情報に基づいて行われる補正処理自体は、第１の補正処理部２５と第２の補正処理部２８とで同様である。
【００４９】
表示制御部２９は、第２の補正処理部２８により補正処理が行われた画像を表示部１５に表示させる。なお、画像処理装置１に表示パネル等が設けられている場合、表示制御部２９は、当該表示パネル等に、補正処理が行われた画像を表示させるようにしてもよい。他にも例えば、表示制御部２９は、他の機器に画像のデータを転送して、当該機器の表示部に画像を表示させてもよい。
【００５０】
出力部３０は、第２の補正処理部２８により補正処理が施された画像を出力する。本実施形態においては、出力部３０は、補正処理済みの画像を画像形成装置３に出力する。画像形成装置３は、当該画像を例えば印刷することになる。
【００５１】
次に、画像処理装置１が実行する処理の流れについて説明する。図４は、画像処理装置１が実行する処理の一例を示すフロー図である。制御部１１が記憶部１２に記憶されたプログラムを実行することによって、図４に示す処理が行われる。
【００５２】
まず、制御部１１は、利用者による操作部１４の操作内容に基づいて、利用者の識別子を取得する（Ｓ１）。利用者は、画像処理装置１を操作する際に、自分の識別子を操作部１４から入力する。Ｓ１においては、当該入力された識別子が取得されることになる。
【００５３】
制御部１１は、画像蓄積部２に蓄積された画像のうち、利用者により選択された画像を取得する（Ｓ２）。例えば、画像蓄積部２に蓄積された画像の一覧を表示部１５に表示させ、当該一覧から利用者に画像を選択させるようにしてもよい。
【００５４】
制御部１１は、Ｓ２において取得された画像の特徴量に関する情報を取得する（Ｓ３）。制御部１１は、利用者の傾向を反映させるか否かを判定する（Ｓ４）。利用者の傾向を反映させるか否かは、利用者による操作に基づいて決定されるようにしてもよいし、記憶部１２の記憶内容に基づいて決定されるようにしてもよい。例えば、初めて補正処理を行う利用者については、当該利用者に関連付けられた補正情報が存在しないので、この場合には、利用者の傾向を反映させると判定されない。
【００５５】
利用者の傾向を反映させないと判定された場合（Ｓ４；Ｎ）、制御部１１は、Ｓ３で取得した特徴量に基づいて、Ｓ２において取得された画像に補正処理を行う（Ｓ５）。Ｓ５においては、例えば、特徴量に関する情報と、補正係数と、の関連付けに基づいて、Ｓ２で取得した画像に関連付けられた補正係数が取得され、当該補正係数に基づいて補正処理が実行されることになる。当該関連付けは、記憶部１２に記憶されており、数式形式であってもよいし、テーブル形式であってもよい。Ｓ５においては、利用者の指示内容を受け付ける前に、画像の特徴量に関する情報のみに応じて自動的に補正処理が行われることになる。
【００５６】
制御部１１は、補正処理が行われた画像を含む確認画面を、表示部１５に表示させる（Ｓ６）。図５は、確認画面の一例を示す図である。図５に示すように、確認画面４０の画像表示領域４１に、補正処理が施された画像が表示される。また、確認画面４０は、利用者が各補正係数を入力するための補正情報入力領域４２を含む。調整バー４２ａ、４２ｂ、４２ｃは、それぞれ、例えば明度、彩度、輝度に対応する。利用者は、調整バー４２ａ、４２ｂ、４２ｃを移動させることによって、明度、彩度、輝度の補正係数を指定する。各調整バー４２ａ、４２ｂ、４２ｃが指し示す数値が、明度、彩度、及び輝度の補正係数となる。
【００５７】
制御部１１は、利用者により調整バー４２ａ、４２ｂ、４２ｃが操作されたか否かを判定する（Ｓ７）。調整バー４２ａ、４２ｂ、４２ｃが操作されたと判定された場合（Ｓ７；Ｙ）、制御部１１は、利用者が指定した補正係数を取得する（Ｓ８）。Ｓ８においては、制御部１１は、調整バー４２ａ、４２ｂ、４２ｃの現在位置に基づいて、補正係数を取得することになる。
【００５８】
制御部１１は、Ｓ８で取得された補正係数（即ち、手動での追加の補正係数）に基づいて、画像に対する追加の補正処理を行い（Ｓ９）、画像表示領域４１の表示を更新する（Ｓ１０）。Ｓ９においては、利用者が手動で指定した各補正係数に基づいて、画像表示領域４１に表示される画像に対して追加の補正処理が施される。当該補正処理後の画像は、Ｓ１０において画像表示領域４１に表示されることになる。
【００５９】
制御部１１は、決定ボタン４３が選択されたか否かを判定する（Ｓ１１）。決定ボタン４３が選択されたと判定されない場合（Ｓ１１；Ｎ）、処理はＳ７に戻る。この場合、再び利用者により指定された補正係数に基づいて、画像に追加の補正処理が施されることになる。利用者により指定された補正係数は、記憶部１２のＲＡＭ等に保持される。
【００６０】
一方、決定ボタン４３が選択されたと判定された場合（Ｓ１１；Ｙ）、制御部１１は、利用者の識別子と、画像の特徴量に関する情報と、利用者により指定された各補正係数（即ち、現時点の調整バー４２ａ、４２ｂ、４２ｃの位置に対応する補正係数）と、を関連付けて記憶部１２に蓄積させる（Ｓ１２）。その後、制御部１１が画像形成装置３に出力指示を行うことにより（Ｓ１３）、補正処理は終了する。
【００６１】
Ｓ１２においては、図３に示すテーブルに新たなレコードが作成され、Ｓ１で取得された識別子と、Ｓ３で取得された画像の特徴量と、Ｓ８で取得された各補正係数と、が関連付けられて当該レコードに格納される。当該レコードは、以降に実行される補正処理で参照されることによって、利用者の傾向を反映した補正処理が実行されることになる。
【００６２】
一方、記憶部１２に蓄積された補正情報による補正処理を行うと判定された場合（Ｓ４；Ｙ）、制御部１１は、記憶部１２に記憶された情報のうち、Ｓ１において取得された識別子と、Ｓ３において取得された特徴量に関する情報と、に関連付けられた第１の補正情報を取得する（Ｓ１４）。Ｓ１４においては、図３に示すテーブルのうち、利用者の識別子と一致するレコードが参照される。そして、当該レコードのうち、Ｓ３において算出された特徴量に最も近い特徴量が格納されたレコードが特定され、当該レコードに格納された第１の補正情報が取得される。
【００６３】
制御部１１は、Ｓ３において取得された特徴量情報と、Ｓ１４において取得された第１の補正情報とに基づいて、画像に補正処理を実行し（Ｓ１５）、その後、処理をＳ６に移行させる。なお、ここでは、Ｓ３において取得された特徴量情報に対応する補正係数と、Ｓ１４において取得された第１の補正情報が示す補正係数と、を加算した補正係数に基づいて第２の補正処理が実行されることになる。
【００６４】
図６は、利用者の傾向が反映された場合の確認画面４０の一例を示す図である。図６に示すように、過去の補正処理において利用者が指定した補正係数が、調整バー４２ａ、４２ｂ、４２ｃに反映されている。ここでは、図３に示すテーブルのうち、識別子が「０００１」であり、特徴量が「１０６０」のレコードに格納された第１の補正情報が反映されている場合を示す。このように、利用者が調整バー４２ａ、４２ｂ、４２ｃの操作を行わなくても、過去に当該利用者が、現在の画像と同じような特徴量を有する画像で使用した各補正係数が自動的に反映されることになる。
【００６５】
この場合、利用者が調整バー４２ａ、４２ｂ、４２ｃを移動させると、Ｓ８において各補正係数が取得され、Ｓ９において当該補正係数の分だけ追加の補正処理が行われることになる。ここでは、追加の補正処理の際に利用者が指定した各補正係数と、Ｓ１４において取得された各補正係数と、を加算した補正係数が、第２の補正情報に相当する。利用者が決定ボタン４３を選択すると、Ｓ１２において、図３に示すテーブルに新たなレコードが追加され、当該第２の補正情報が利用者の識別子に関連付けて記憶部１２に蓄積されることになる。
【００６６】
上記実施形態の画像処理装置１は、利用者が過去に行った指示内容の傾向が反映された補正処理を、新たな画像に対して行う。また、画像処理装置１は、複数の利用者の各々による過去の指示内容の傾向が反映された補正処理を行う。また、画像処理装置１は、新たに補正処理が行われる画像に対し、その特徴量に応じた補正処理を行う。
【００６７】
なお、本発明は、以上に説明した実施の形態に限定されるものではない。本発明の趣旨を逸脱しない範囲で、適宜変更可能である。
【００６８】
次いで、本発明の第２の実施の形態における画像処理装置１について説明する。本実施形態の説明においては、第１の実施形態と同じ構成については、その詳細な説明を省略する。
【００６９】
図７は、第２の実施形態における画像処理装置１の機能ブロック図である。図７に示すように、第２の実施形態における画像処理装置１は、第１の実施形態における構成に加え、評価取得部３１と、決定部３２と、第３の補正情報生成部３３と、第３の補正処理部３４と、を含んで構成されている。これらの各機能は、制御部１１を主として実現される。
【００７０】
評価取得部３１は、第２の補正情報に対する利用者による評価を、第２の画像を選択した利用者の識別子に関連付けて取得する。ここに示す評価とは、画像形成装置３によって印刷された、第２の補正情報による第２の補正処理が行われた画像に対しての利用者による評価のことを示す。すなわち、利用者は印刷された画像を確認し、画像に行われた第２の補正処理が利用者の嗜好に合ったものであるかを評価する。
【００７１】
評価取得部３１は、利用者の操作に基づいて評価を取得する。利用者による評価は、例えば、画像の印刷後に入力される。図８は、画像の印刷後に表示部１５に表示される評価入力画面の一例を示す図である。図８に示すように、評価入力画面４４においては、利用者によってカーソルＣで選択された評価入力領域４４ａの数値を、評価取得部３１によって取得する方法が一例として挙げられる。図８に示す例では、数値が高いほど利用者の評価が高いことを示している。
【００７２】
図７に示す決定部３２は、第２の補正情報に対しての利用者による評価に基づいて、第２の補正情報を、利用者の識別子に関連付けて情報蓄積部２６に蓄積させるか否かを決定する。例えば、評価取得部３１によって取得された評価が、予め定められた範囲内の評価である場合のみ（具体的には例えば、評価を示す数値が一定の値を超えた場合のみ）、決定部３２は、その評価を受けた補正処理に関する情報（ここでは第２の補正情報）を情報蓄積部２６に蓄積するようにしてもよい。具体的には例えば、図８に示す評価入力領域４４ａに入力された評価が＋１以上の場合のみ、その評価を受けた画像への第２の補正処理で用いられた第２の補正情報が、情報蓄積部２６に蓄積されるようにしてもよい。
【００７３】
第３の補正情報生成部３３は、情報蓄積部２６に蓄積された第２の補正情報に応じて、利用者が選択した第３の画像に対する第３の補正処理に用いられる第３の補正情報を生成する。第３の補正情報生成部３３は、第２の画像を選択した利用者に対応する識別子に関連付けて情報蓄積部２６に蓄積された第２の補正情報と、第２の補正情報に対しての利用者による評価とに応じて、第３の補正情報を生成する。この第３の補正情報生成部３３については、第２の補正情報生成部２７と同様の構成であるため、その詳細な説明を省略する。
【００７４】
第３の補正処理部３４は、第３の補正情報に応じて第３の画像に第３の補正処理を行う。この第３の補正処理は、第１の補正処理部２５と第２の補正処理部２８とで行われる補正処理と同様であるため、その詳細な説明を省略する。
【００７５】
次に、第２の実施形態における、画像処理装置１が実行する処理の流れについて図４を用いて説明する。第２の実施形態においては、まず、Ｓ１４及びＳ１５の処理が実行された後にＳ６〜Ｓ１３の処理が実行されることによって、第２の補正処理が実行される。この処理については、第１の実施形態における処理と同様であるため、その詳細な説明を省略する。
【００７６】
ここでは、第２の補正処理が行われた画像がＳ１３において出力された後、制御部１１は、評価入力領域４４ａに対する利用者の操作内容に基づいて、第２の補正処理に対する利用者による評価を取得する。そして、制御部１１は、当該取得した評価の値に応じて、その評価を受けた補正処理に関する情報（第２の補正情報）を記憶部１２に蓄積するか否かを決定する。制御部１１は、第２の補正情報を蓄積すると決定した場合、第２の補正情報を記憶部１２に蓄積させる。
【００７７】
上記のようにして第２の補正情報が蓄積された以降に実行される補正処理が、本実施形態における第３の補正処理に相当する。第３の補正処理も、図４と同様の処理の流れとなる。具体的には、まず、Ｓ１からＳ４の処理が実行される。Ｓ４において、利用者の傾向を反映させると判定されると、Ｓ１４において、制御部１１は、Ｓ１において取得された識別子と、Ｓ３において取得された特徴量に関する情報と、に関連付けられた第２の補正情報を取得する。Ｓ１５においては、制御部１１は、Ｓ３において取得された特徴量情報と、Ｓ１４において取得された第２の補正情報に基づいて、画像に補正処理を実行し、処理はＳ６に移行する。
【００７８】
以降、Ｓ７において調整バー４２ａ、４２ｂ、４２ｃが操作されたと判定された場合、Ｓ８において補正係数が取得され、Ｓ９において追加の補正処理が実行される点は、第１の実施形態と同様である。即ち、ここでは、第２の補正情報が示す補正係数を、利用者が調整バー４２ａ、４２ｂ、４２ｃを用いて手動で調整した補正係数が、第３の補正情報に相当する。他の処理については、第１の実施形態における処理と同様であるため、その詳細な説明を省略する。
【００７９】
その後も、新たな画像に対して補正処理を行う場合は、過去の補正処理において用いられ、かつ、一定以上の評価が得られた補正処理に関する補正情報に応じて、新たな補正処理に用いられる補正情報を生成する。
【００８０】
以上のように、第２の実施形態における画像処理装置１は、一定の値を超えた評価を受けた第２の補正情報のみが情報蓄積部２６に蓄積される。このため、利用者の嗜好が反映されたと利用者から判断された第２の補正情報に基づいて、第３の補正情報が生成される。
【００８１】
次いで、本発明の第３の実施の形態について、説明する。本実施形態の説明においては、先述した実施形態と同じ構成については、その詳細な説明を省略する。
【００８２】
第３の実施形態の情報蓄積部２６は、第２の補正情報とともに、当該第２の補正情報に対しての利用者による評価を蓄積する。図９は、第３の実施形態における情報蓄積部２６の記憶内容の一例を示す図である。図９に示すように、第２の補正情報に対しての利用者による評価が、その評価を行った利用者の識別子と、その評価を受けた第２の補正処理に用いられた第２の補正情報とに関連付けられて、第２の補正情報とともに情報蓄積部２６に蓄積される。図９に示すデータ格納例では、識別子０００１、０００２、０００３の各利用者の識別子に関連付けられた第２の補正情報が蓄積されている。ここでは、図３に示す各フィールドに加え、「評価」フィールドを含むテーブルが情報蓄積部２６に記憶される。
【００８３】
また、第３の実施形態では、第３の補正情報生成部３３が、情報蓄積部２６に蓄積された第２の補正情報と評価とに応じて第３の補正情報を生成する点が、上記実施形態と異なっている。例えば、第３の補正情報生成部３３は、第２の補正情報と評価とを所与の数式に代入することによって、第３の補正情報を生成する。即ち、第３の補正情報生成部３３は、第３の補正情報の生成における、各第２の補正情報が与える影響の大きさを、第２の補正処理に対する利用者の評価に応じて変化させてもよい。
【００８４】
第３の補正情報を生成する方法について、図９の識別子０００１の利用者を例に具体的に説明する。例えば、識別子０００１の利用者に関連付けられた各第２の補正情報のうち、評価が“３”である第２の補正情報が第３の補正情報生成に及ぼす影響を、評価が“１”である第２の補正情報が第３の補正情報生成に及ぼす影響よりも大きくする。すなわち、利用者の評価が高い第２の補正処理に関連する第２の補正情報ほど、第３の補正情報の生成に及ぼす影響を大きくする。なお、「第３の補正情報の生成に及ぼす影響が大きい」とは、例えば、評価に応じた係数を第２の補正情報に乗ずることによって第３の補正情報を生成する場合には、第２の補正情報に対する評価が高くなるほど当該係数が大きくなることを意味する。
【００８５】
次に、第３の実施形態における、画像処理装置１が実行する処理の流れについて図４を用いて説明する。第３の実施形態においては、Ｓ１２における蓄積処理が、利用者による評価が取得された後に実行される点で、上記実施形態とは異なる。例えば、Ｓ１３の出力指示が実行され、評価入力画面４４から利用者による評価が入力された後に、制御部１１は、当該入力された評価と、第２の補正情報と、を記憶部１２に蓄積させることになる。
【００８６】
上記のようにして第２の補正情報と評価とが蓄積された後に実行される補正処理が、本実施形態における第３の補正処理に相当する。第３の補正処理も、図４と同様の処理の流れとなる。具体的には、まず、Ｓ１からＳ４の処理が実行される。Ｓ４において、利用者の傾向を反映させると判定されると、Ｓ１４において、制御部１１は、Ｓ１において取得された識別子と、Ｓ３において取得された特徴量に関する情報と、に関連付けられた第２の補正情報及び当該第２の補正情報の評価を取得する。
【００８７】
Ｓ１５においては、制御部１１は、Ｓ３において取得された特徴量情報と、Ｓ１４において取得された第２の補正情報と、当該第２の補正情報の評価と、に基づいて、画像に補正処理を実行し、その後、処理をＳ６に移行させる。以降、Ｓ７において調整バー４２ａ、４２ｂ、４２ｃが操作されたと判定された場合、Ｓ８において補正係数が取得され、Ｓ９において追加の補正処理が実行される点は、上記実施形態と同様である。即ち、ここでは、第２の補正情報が示す補正係数を、利用者が調整バー４２ａ、４２ｂ、４２ｃを用いて手動で調整した補正係数が、第３の補正情報に相当する。他の処理については、上記実施形態における処理と同様であるため、その詳細な説明を省略する。
【００８８】
以上のように、第３の実施形態における画像処理装置１は、第２の補正情報に対する利用者の評価に応じて第３の補正情報が生成される。例えば、利用者の嗜好が反映されたと利用者から判断された第２の補正情報ほど、第３の補正情報生成への影響が大きくなる。
【００８９】
また、第３の実施形態における画像処理装置１は、このように利用者の嗜好が反映された補正処理が行われることにより、本構成を有しない画像処理装置と比べ、利用者の嗜好に応じた補正画像が提供されるまでの、利用者による補正処理の回数が低減する。
【００９０】
次いで、本発明の第４の実施の形態について説明する。本実施形態の説明においては、上記実施形態と同じ構成については、その詳細な説明を省略する。
【００９１】
図７は、第４の実施形における画像処理装置１の機能ブロック図である。第４の実施形態における画像処理装置１は、種別情報取得部３５を有する点が、第２の実施形態と異なっている。種別情報取得部３５は、制御部１１を主として実現され、第１の画像及び第２の画像の種別に関する情報を取得する。種別に関する情報とは、例えば、画像の撮影対象の種別に関する情報である。種別としては、具体的には、人物、風景、料理、夜景などが挙げられる。種別情報取得部３５は、例えば、利用者の操作に基づいて種別を取得する。
【００９２】
図１０は、第４の実施形態の確認画面４０を示す図である。図１０に示すように、確認画面４０の種別情報入力領域４５に表示された複数の種別の中から、利用者によってカーソルＣで選択された種別が、種別情報取得部３５により取得される。
【００９３】
情報蓄積部２６は、第１の画像の種別に関する情報を蓄積する。図１１は、第４の実施形態における情報蓄積部２６の記憶内容の一例を示す図である。図１１に示すように、種別情報取得部３５により取得された種別に関する情報は、各利用者の識別子と、各画像の補正情報とに関連付けられて情報蓄積部２６に蓄積される。
【００９４】
第２の補正情報生成部２７は、第２の画像の種別に関する情報と、情報蓄積部２６に蓄積された第１の画像の種別に関する情報とに応じて、第２の補正情報を生成する。第２の補正情報生成部２７は、情報蓄積部２６に蓄積された第１の画像の種別と、第２の画像の種別と、を比較する。第２の補正情報生成部２７は、当該比較結果に基づいて、情報蓄積部２６に蓄積された第１の補正情報の何れかを特定し、当該特定された第１の補正情報に基づいて第２の補正情報を生成する。例えば、第２の補正情報生成部２７は、第２の画像の種別と同じ種別が関連付けられた第１の補正情報に基づいて、第２の補正情報を生成する。
【００９５】
次に、第４の実施形態における、画像処理装置１が実行する処理の流れについて図４を用いて説明する。第４の実施形態においては、Ｓ３、Ｓ５、Ｓ１４、およびＳ１５において、特徴量ではなく画像の種別情報が用いられる点が、主に第１の実施形態における処理と異なる。
【００９６】
具体的には、まず、Ｓ３において、制御部１１は、Ｓ２において取得した画像を含む確認画面４０を利用者に対して表示させ、種別情報入力領域４５に対する利用者の操作内容に基づいて、画像の種別を取得する。Ｓ５においては、制御部１１は、Ｓ３で取得した画像の種別に関する情報に基づいて、第１の画像に補正処理を行う。Ｓ５においては、例えば、第１の種別に関する情報と補正係数との関連付けに基づいて、第１の画像に関連付けられた補正係数が取得され、当該補正係数に基づいて補正処理が実行される。当該関連付けは、例えばテーブル形式のデータであり、記憶部１２に予め記憶されている。続くＳ６〜Ｓ１１の処理は、第１の実施形態における処理と同様であり、Ｓ１２においては、制御部１１は、Ｓ３において取得した種別を、第１の補正情報に関連付けて記憶部１２に蓄積することになる。
【００９７】
上記のようにして第１の補正情報が蓄積された以降に実行される補正処理が、本実施形態における第２の補正処理に相当する。具体的には、Ｓ３において、第２の画像の種別に関する情報が取得される。Ｓ４において、利用者の傾向を反映させると判定されると、Ｓ１４において、制御部１１は、Ｓ１において取得された識別子と、Ｓ３において取得された種別情報と、に関連付けられた第２の補正情報を取得する。
【００９８】
このＳ１４について具体的に説明すると、例えば、第２の画像の種別が「風景」であった場合、利用者の識別子に関連付けて情報蓄積部２６に蓄積されている第１の補正情報のうち、種別が「風景」である第１の補正情報が取得される。
【００９９】
Ｓ１５においては、制御部１１は、Ｓ３において取得された種別情報と、Ｓ１４において取得された第２の補正情報とに基づいて画像に補正処理を実行し、その後、処理をＳ６に移行させる。以降の処理については第１の実施形態における処理と同様であるため、その詳細な説明を省略する。
【０１００】
以上のように、第４の実施形態における画像処理装置１は、本構成を有しない画像処理装置と比べ、新たに補正処理が行われる画像に対し、その種別に応じた補正処理が行われる。
【０１０１】
以上、本発明の第１から第４の実施形態について説明したが、本発明は、以上に説明した実施の形態に限定されるものではなく、本発明の趣旨を逸脱しない範囲で、適宜変更可能である。例えば、第１の実施形態においては、図６に示すように各補正係数が調整バー４２ａ、４２ｂ、４２ｃの位置に自動的に反映される例を示したが、補正係数の反映のされ方は、このような例に限られない。例えば、各補正係数が現在の画像への補正係数に反映されたとしても、調整バー４２ａ、４２ｂ、４２ｃの位置が変わらずに初期位置のままとなるようにしてもよい。
【０１０２】
また、第１の実施形態においては、画像の特徴量に関する情報と、手動補正情報とに基づいて第２の補正情報を生成する方法を説明したが、第２の補正情報を生成する方法はこれに限られない。例えば、画像に関する他の情報を用いることによって、第２の補正情報が生成されるようにしてもよい。具体的には、第１の実施形態と第４の実施形態とを組み合わせて、画像の特徴量に関する情報と、手動補正情報と、画像の種別に関する情報とに基づいて第２の補正情報を生成してもよい。更に第３の実施形態を組み合わせて、画像の特徴量に関する情報と画像の種別に関する情報と、第２の補正情報に対する評価とに基づいて第３の補正情報を生成してもよい。
【０１０３】
また、第１の実施形態においては、操作部１４と表示部１５とが画像処理装置１の外部に接続されている例について説明したが、画像処理装置１の構成はこれに限られず、操作部１４と表示部１５とが画像処理装置１に設けられていてもよい。また、情報蓄積部２６は、画像処理装置１の外部に接続されていてもよい。
【０１０４】
なお、第３の実施形態においては、画像処理装置１の利用者が複数いる場合、利用者それぞれの識別子毎に、第２の補正情報と第２の補正情報に対する評価とに基づいて第３の補正情報を生成しているが、第３の補正情報を生成する方法は、このように識別子毎に生成する方法に限られない。例えば、複数の利用者が行った第２の補正処理に用いられた第２の補正情報と、各第２の補正情報への評価とに基づいた第３の補正情報を生成しても構わない。
【０１０５】
また、第４の実施形態においては、図１０に示すように、種別情報入力領域４５に表示された複数の種別の中から画像の種別を選択する際、該当する適当な種別がなく、画像の種別の選択を行わないと利用者が判断した場合は、例えば「指定なし」を選択してもよい。このように「指定なし」を選択した場合は、種別に関する情報は取得されず、第１の実施形態と同じように、画像の特徴量に応じた補正処理が行われるようにしてもよい。
【０１０６】
また、第４の実施形態において、種別情報取得部３５によって種別に関する情報を取得する方法は、図１０に示すように利用者が入力する方法に限られず、対象画像に関連づけて記録されている情報を取得してもよい。具体的には例えば、画像の撮影に用いられるデジタルカメラなどの撮像装置により、予め画像に関連づけて記録されている、種別に関する情報を取得してもよい。種別に関する情報を画像に関連付ける方法としては例えば、撮影時の周辺の明るさに関する情報から、撮像装置が画像の種別を決定し、画像に関連付けて記憶する方法が挙げられる。
【０１０７】
また、上記実施形態においては、特徴量又は種別に応じて定まる補正係数ではなく、利用者が手動で入力した補正係数が、第１の補正情報、第２の補正情報、及び第３の補正情報に相当する場合を説明したが、特徴量又は種別に応じて定まる補正係数と、利用者が手動で入力した補正係数と、を合算した補正係数が、第１の補正情報、第２の補正情報、及び第３の補正情報に相当するようにしてもよい。
【符号の説明】
【０１０８】
１  画像処理装置、２  画像蓄積部、３  画像形成装置、１１  制御部、１２  記憶部、１３  通信部、１４  操作部、１５  表示部、２０  識別子取得部、２１  画像取得部、２２  特徴量情報取得部、２３  指示内容取得部、２４  第１の補正情報生成部、２５  第１の補正処理部、２６  情報蓄積部、２７  第２の補正情報生成部、２８  第２の補正処理部、２９  表示制御部、３０  出力部、３１  評価取得部、３２  決定部、３３  第３の補正情報生成部、３４  第３の補正処理部、３５  種別情報取得部、４０  確認画面、４１  画像表示領域、４２  補正情報入力領域、４２ａ、４２ｂ、４２ｃ  調整バー、４３  決定ボタン、４４  評価入力画面、４４ａ  評価入力領域、４５  種別情報入力領域、Ｃ  カーソル、Ｓ  システム。
【図１】
2014092994.tif 000003
【図２】
2014092994.tif 000004
【図３】
2014092994.tif 000005
【図４】
2014092994.tif 000006
【図５】
2014092994.tif 000007
【図６】
2014092994.tif 000008
【図７】
2014092994.tif 000009
【図８】
2014092994.tif 000010
【図９】
2014092994.tif 000011
【図１０】
2014092994.tif 000012
【図１１】
2014092994.tif 000013